(57)【特許請求の範囲】
【請求項１】
装置外郭を構成する略箱形の筐体と、
前記筐体のうち水平方向に含まれる第１方向に沿った一方側に位置する第１領域の下部に設けられ、電力を供給するための電池を収納する電池収納部と、
前記筐体のうち前記第１領域の上部に略水平に配置された制御基板と、
前記筐体のうち前記第１方向に沿った他方側に位置する第２領域に設けられ、被印字媒体を収納する媒体収納室と、
前記筐体に設けられて開き状態において前記媒体収納室を外部に露出可能な開閉蓋と、
前記筐体の前記第１領域と前記第２領域との境界部に当該第１領域と当該第２領域とを区分するように仕切る仕切壁と、
前記仕切壁の上部を覆うように設けるとともに、前記制御基板の制御に基づき、前記電池収納部に収納された前記電池の電力により、前記媒体収納室から供給される前記被印字媒体に所望の印字を行う印刷処理機構と、
を有し、
前記第１領域は、
第１ベース領域部と、
前記印刷処理機構の下方へ入り込むように前記第１ベース領域部から前記他方側へ突出して設けられる第１突出領域部を含み、
前記第２領域は、
第２ベース領域部と、
前記第１方向と直交する第２方向に沿って前記第１突出領域部に隣接して配置され、前記第２ベース領域部よりも前記一方側へ突出して設けられる少なくとも１つの第２突出領域部を含み、
前記制御基板は、
前記印刷処理機構の下方へ入り込むように前記第１領域の前記第１突出領域部に配置される突出基板部を備えており、
前記仕切壁は、
前記第１突出領域部と前記第２ベース領域部とを仕切るように前記第２方向に沿って延設される第１仕切部と、
前記第１仕切部よりも前記一方側に位置し、前記第２突出領域部と前記第１ベース領域部とを仕切るように前記第２方向に沿って延設される第２仕切部と、
前記第１仕切部と前記第２仕切部とを接続するように設けられ、前記第１突出領域と前記第２突出領域部とを仕切るように前記第１方向に沿って延設される第３仕切部と、
を備える
ことを特徴とする印刷装置。
【請求項２】
請求項１記載の印刷装置において、
前記印刷処理機構は、
前記被印字媒体に印字を行う印字ヘッドと、
前記被印字媒体の搬送経路を挟み前記印字ヘッドに対向して設けられた搬送ローラを駆動する駆動モータと、
を備えており、
前記搬送ローラ及び前記印字ヘッドは、
前記仕切壁の前記第３仕切部の上方に位置するように配置され、
前記駆動モータは、
前記搬送ローラ及び前記印字ヘッドの前記第２方向に沿った一方側の端部の下方で、前記第２領域の前記第２突出領域部に配置される
ことを特徴とする印刷装置。
【請求項３】
請求項１又は請求項２記載の印刷装置において、
前記筐体は、
前記制御基板の前記突出基板部の上方となる位置に、前記印刷処理機構により印字が形成された前記被印字媒体を排出する排出口を備える
ことを特徴とする印刷装置。
【発明の詳細な説明】
【技術分野】
【０００１】
本発明は、被印字媒体に対し所望の印字を行う印刷装置に関する。
【背景技術】
【０００２】
電池の起電力を用いて印刷動作を行うバッテリ駆動の印刷装置が既に知られている（例えば、特許文献１参照）。この印刷装置は、筐体（本体カバー）の内部に、シート状の被印字媒体を平置き状態で収納する媒体収納室（給紙カセット）と、プラテンローラ及びサーマルヘッドを備えた印刷処理機構と、制御基板と、を有する。また、筐体の後方には、電池収納部（バッテリ）が着脱可能に設けられている。印刷処理機構は、電池収納部に収納された電池から供給される電力を用いつつ、制御基板が実行する制御に基づき被印字媒体に対し、所望の印字を行う。
【先行技術文献】
【特許文献】
【０００３】
【特許文献１】特開２００４−８２４３２号公報
【発明の概要】
【発明が解決しようとする課題】
【０００４】
上記のような印刷装置において、例えばロール形状の被印字媒体が用いられる場合がある。このようなロール形状の被印字媒体をその軸方向を水平にして収納する場合、媒体収納室は上下方向寸法が比較的大きくなる。一方、制御基板は、一般的に取り扱い性や組立性の便宜により、上記従来技術のように水平方向に延設される場合が多い。この結果、制御基板は、その上下方向寸法は小さいが水平方向寸法は比較的大きくなる。また、安定性や重心配置の観点から電池は横置きに収納される場合が多く、この場合、上記従来技術のように、電池収納部の上下方向寸法は小さく水平方向寸法は比較的大きくなる。
【０００５】
上記のような、ロール形状の被印字媒体、制御基板、及び電池収納部それぞれの寸法的特性を考慮しつつそれらの装置内のレイアウトを工夫することで、筐体の水平方向寸法及び上下方向寸法の大型化を抑制し小型化を図れる可能性がある。しかしながら、上記従来技術ではそのような点までは配慮されていなかった。
【０００６】
本発明の目的は、筐体の水平方向寸法及び上下方向寸法を必要最小限にとどめ、筐体全体を確実に小型化できる印刷装置を提供することにある。
【課題を解決するための手段】
【０００７】
上記目的を達成するために、本願発明は、装置外郭を構成する略箱形の筐体と、前記筐体のうち水平方向に含まれる第１方向に沿った一方側に位置する第１領域の下部に設けられ、電力を供給するための電池を収納する電池収納部と、前記筐体のうち前記第１領域の上部に略水平に配置された制御基板と、前記筐体のうち前記第１方向に沿った他方側に位置する第２領域に設けられ、被印字媒体を収納する媒体収納室と、前記筐体に設けられて開き状態において前記媒体収納室を外部に露出可能な開閉蓋と、前記筐体の前記第１領域と前記第２領域との境界部に当該第１領域と当該第２領域とを区分するように仕切る仕切壁と、前記仕切壁の上部を覆うように設けるとともに、前記制御基板の制御に基づき、前記電池収納部に収納された前記電池の電力により、前記媒体収納室から供給される前記被印字媒体に所望の印字を行う印刷処理機構と、を有し、前記第１領域は、第１ベース領域部と、前記印刷処理機構の下方へ入り込むように前記第１ベース領域部から前記他方側へ突出して設けられる第１突出領域部を含み、前記第２領域は、第２ベース領域部と、前記第１方向と直交する第２方向に沿って前記第１突出領域部に隣接して配置され、前記第２ベース領域部よりも前記一方側へ突出して設けられる少なくとも１つの第２突出領域部を含み、前記制御基板は、前記印刷処理機構の下方へ入り込むように前記第１領域の前記第１突出領域部に配置される突出基板部を備えており、前記仕切壁は、前記第１突出領域部と前記第２ベース領域部とを仕切るように前記第２方向に沿って延設される第１仕切部と、前記第１仕切部よりも前記一方側に位置し、前記第２突出領域部と前記第１ベース領域部とを仕切るように前記第２方向に沿って延設される第２仕切部と、前記第１仕切部と前記第２仕切部とを接続するように設けられ、前記第１突出領域部と前記第２突出領域部とを仕切るように前記第１方向に沿って延設される第３仕切部と、を備えることを特徴とする。
【０００８】
本願発明の印刷装置は、被印字媒体を収納する媒体収納室と、印刷処理機構と、電池収納部と、制御基板と、を有する。印刷処理機構は、電池収納部に収納された電池から供給される電力を用いつつ、制御基板が実行する制御に基づき被印字媒体に所望の印字を行う。
【０００９】
このとき、本願発明の印刷装置では、筐体を水平方向（詳細には第１方向）一方側の第１領域と水平方向（詳細には第１方向）他方側の第２領域とに区分し、第１領域に電池収納部と制御基板とを上下に配置するとともに、第２領域に媒体収納室を配置する。第２領域に媒体収納室を単独で設けることにより、媒体収納室の上下に制御基板や電池収納部を設ける場合に比べ、筐体の上下方向寸法の大型化を抑制することができる。また、反対側の第１領域に電池収納部と制御基板とを上下に積層させて配置することにより、それらを水平方向に並べて配置する場合に比べ、筐体の水平方向寸法の大型化を抑制することができる。
【００１０】
以上のように、本願発明においては、水平方向寸法の大きい制御基板及び電池収納部は第１領域で上下方向に積層して配置し、上下方向寸法の大きい媒体収納室は第２領域に単独で配置することにより、筐体の水平方向寸法及び上下方向寸法を必要最小限にとどめ、筐体全体を確実に小型化することができる。
【発明の効果】
【００１１】
本発明によれば、筐体の水平方向寸法及び上下方向寸法を必要最小限にとどめ、筐体全体を確実に小型化することができる。
【図面の簡単な説明】
【００１２】
【図１】本発明の一実施の形態であるプリンタの外観構成を表す斜視図である。
【図２】プリンタのトップカバーを外した状態を、（制御基板を省略した状態で）前方側斜め上方向から見た斜視図である。
【図３】図１中Ｆ−Ｆ断面による断面図、及び、Ｇ−Ｇ断面による断面図である。
【図４】メカユニットの詳細構造を表す斜視図である。
【図５】筐体のトップカバーのうち固定部のみを外した状態を表す（但し制御基板は略示）、前方側斜め上方向から見た斜視図及び平面図である。
【図６】筐体のトップカバー全体を外した状態を表す、前方側斜め上方向から見た斜視図（但し制御基板は略示）、及び平面図である。
【図７】筐体のトップカバー全体を外した状態を表す（但し制御基板は略示）、後方側斜め上方向から見た斜視図である。
【図８】筐体のトップカバー全体及びメカユニットを外した状態を表す（但し制御基板は略示）、前方側斜め上方向から見た斜視図及び平面図である。
【図９】筐体のトップカバー全体、メカユニット、及び制御基板を外した状態を表す、前方側斜め上方向から見た斜視図及び平面図である。
【図１０】筐体のトップカバーのうちの固定部、及び、メカユニットを外した状態を表す、前方側斜め上方向から見た斜視図及び平面図である。
【発明を実施するための形態】
【００１３】
以下、本発明の一実施の形態を図面を参照しつつ説明する。
【００１４】
＜プリンタの概略構成＞
図１〜図３を用いて、本発明の一実施の形態であるプリンタ（印刷装置）１の全体構成を説明する。以下では、図１中の右下方向を右方、左上方向を左方、右上方向を後方、左下方向を前方、上方向を上方、下方向を下方、と定義して説明する（各図の矢印の図示参照）。なお、この例では、上記のような定義における前後方向が各請求項記載の第１方向に相当し、左右方向が各請求項記載の第２方向に相当する。
【００１５】
プリンタ１は、例えばＰＣ端末や携帯電話等の外部機器（図示せず）より受信した印刷データを、ロール紙Ｓ（被印字媒体）に印刷する。このプリンタ１は、電池（図示せず。詳細は後述）を電源として駆動可能である。
【００１６】
プリンタ１は、例えば樹脂材料で構成された、装置外郭を構成する略箱形形状の筐体１００を備えている。この筐体１００は、装置外郭上部を構成するトップカバー１０１と、装置外郭下部を構成するアンダーカバー１０２とを備えている。トップカバー１０１は、固定部１０１Ａと開閉蓋１０１Ｂとを備えている。
【００１７】
アンダーカバー１０２の端部には、左・右一対の挿通部１０２ａが備えられている。これら挿通部１０２ａに例えばストラップなどを挿通し、肩や首、さらには腰ベルトなどに架けることにより、操作者は、前述のように電池駆動であるプリンタ１を様々な場所（屋外を含む）に手軽に持ち運び、使用することができる。
【００１８】
トップカバー１０１の開閉蓋１０１Ｂの下方（筐体１００の内部）には、ロール収納部１６１（媒体収納室）が設けられている（図２、図３参照）。このロール収納部１６１には、ロール紙Ｓが両端部を支持部材１６２によって回転可能に軸支されて収納されており、これによってロール収納部１６１から連続的にロール紙Ｓを供給可能な構成となっている。このとき、開閉蓋１０１Ｂはヒンジ部Ｈを介しアンダーカバー１０２の後端部に対して回転可能に連結されており、これによってロール収納部１６１を外部に露出させる開き状態と、ロール収納部１６１を内部に収容する閉じ状態とに切り替えられる。開閉蓋１０１Ｂを開き状態とすることで、ロール収納部１６１を装置外部に露出させ、ロール紙Ｓの装着や交換を容易に行うことができる。
【００１９】
トップカバー１０１の前後方向略中央部（この例では固定部１０１Ａと開閉蓋１０１Ｂとが付き合わされる部分）には、印字後のロール紙Ｓを排出するための排出口１０７が設けられている。このとき、排出口１０７は、上下方向に沿った一方側に（この例では上方に）向かって開口するように設けられている。
【００２０】
開閉蓋１０１Ｂの前方側端部には、プラテンローラ１１１（搬送ローラ）が回転自在に支持されている。プラテンローラ１１１は、開閉蓋１０１Ｂが上記閉じ状態にあるときに、モータケーシング２１内の回転子（図示せず）の回転が伝達されることにより、ロール紙Ｓを搬送する。
【００２１】
＜メカユニット及び周辺＞
一方、筐体１００の内部の、前後方向中央部付近には、メインシャーシ部材１５０を備えたメカユニットＭＵ（印刷処理機構）が設けられている。メカユニットＭＵの詳細構成を図４に示す。図４、上記図２、及び上記図３に示すように、メカユニットＭＵにおいて、メインシャーシ部材１５０の内部に、ヘッドユニットＨＵが前後方向に揺動自在に配置されている。ヘッドユニットＨＵには、サーマルラインヘッド１１２（印字ヘッド）と、このサーマルラインヘッド１１２での発熱を冷却するためのヒートシンク１１４と、が一体化されて備えられている。そして、ヒートシンク１１４が、前方側端部がメインシャーシ部材１５０に支持された複数（この例では２つ）のコイルバネ１１５により、上記プラテンローラ１１１側（すなわち後方側）へと付勢されている。これにより、開閉蓋１０１Ｂが上記閉じ状態にあるときに、サーマルラインヘッド１１２はプラテンローラ１１１に所定の圧接力で接触する。
【００２２】
また、メカユニットＭＵには、図４に示すように、メインシャーシ部材１５０の左側に、プラテンローラ１１１を回転駆動する駆動力を発生する前述の駆動モータの外郭となる略円筒形状のモータケーシング２１と、複数のギアから構成され、開閉蓋１０１Ｂの閉じ状態においてプラテンローラ１１１に作動連結されることで上記モータの駆動力をプラテンローラ１１１に伝達するギア機構１３２と、が設けられている。モータケーシング２１は、筐体１００の内部において、上記排出口１０７から下側に設けられる（前述の図３（ｂ）参照）。上記駆動モータは、メカユニットＭＵの下方から筐体１００内部の後方にかけて配置された制御基板１７０（図３参照）によって、その駆動が制御される。なお、制御基板１７０は、取り扱い性や組立性の便宜を図るために、この例では、水平方向に延設されている。
【００２３】
筐体１００内の制御基板１７０の下方には、アンダーカバー１０２の下面側から上記電池が挿入されて配置される電池収納部１６３（図３参照）が備えられている。なお、電池収納部１６３では、図示を省略するが、安定性や重心配置の観点から、上記電池は横置きに収納されている。そして、上記制御基板１７０は、上記電池収納部１６３に収納された電池から供給される電力を用いつつ、サーマルラインヘッド１１２、上記駆動モータ等の制御を行う。
【００２４】
＜プリンタの概略動作＞
上記構成において、印刷時には、ＰＣ端末や携帯電話等の外部機器より、プリンタ１に対し、無線通信（又は有線通信や赤外線通信でもよい）を介して、印刷データが送信される。また、モータの駆動力に基づくプラテンローラ１１１の回転によってロール収納部１６１からロール紙Ｓが繰り出される。繰り出されたロール紙Ｓは、排出口１０７の下方に設けられたガイド部材１２０により、プラテンローラ１１１とサーマルラインヘッド１１２との圧接部に案内される。そして、サーマルラインヘッド１１２とプラテンローラ１１１との間に挿通されたロール紙Ｓに対し、サーマルラインヘッド１１２が上記印刷データに基づいた所望の態様の印刷を行う。印刷後のロール紙Ｓは、排出口１０７から筐体１００の外部へと排出される。このとき、メインシャーシ部材１５０には、排出口１０７の内側において当該排出口１０７に沿うように固定歯１６０が取り付けられている。操作者は、上記のようにして印刷が完了し排出口１０７から排出されたロール紙Ｓの端部を、この固定歯１６０を用いて手動で切断することができる。
【００２５】
なお、紙詰まり等が生じた場合には、トップカバー１０１の上記開閉蓋１０１Ｂを開放することで、サーマルラインヘッド１１２からプラテンローラ１１１がリリースされ、容易にロール紙Ｓを引き出すことが可能となる。
【００２６】
＜本実施形態の特徴＞
以上の構成において、本実施形態の特徴は、上述した制御基板１７０、電池収納部１６３、及びロール収納部１６１の筐体１００内における配置にある。以下、その詳細を図５〜図１０により順を追って説明する。
【００２７】
前述したように、本実施形態のプリンタ１では、ロール収納部１６１と、サーマルラインヘッド１１２、駆動モータ、メインシャーシ部材１５０等を備えたメカユニットＭＵと、電池収納部１６３と、制御基板１７０とが、筐体１００内に設けられている。
【００２８】
このとき、本実施形態のようにロール収納部１６１においてロール紙Ｓをその軸方向を水平にして収納する場合、ロール収納部１６１の上下方向寸法が比較的大きくなる（図２及び図３参照）。また、本実施形態のように制御基板１７０が略水平に延設される場合、制御基板１７０の上下方向寸法は小さいが水平方向寸法は比較的大きくなる。さらに、本実施形態のように電池が横置きに収納される場合、電池収納部１６３の上下方向寸法は小さく水平方向寸法は比較的大きくなる（図３参照）。
【００２９】
そこで、本実施形態のプリンタ１では、図５〜図７に示すように、筐体１００の内部を、前後方向一方側（この例では前方側）の第１領域Ｐと前後方向他方側（この例では後方側）の第２領域Ｑとに区分する。そして、第１領域Ｐの下部に電池収納部１６３を設けると共に、第１領域Ｐの上部に制御基板１７０を設けている。すなわち、共に水平方向寸法が大きい電池収納部１６３（図３（ａ）参照）と制御基板１７０とを上下に第１領域Ｐに配置する。また、第２領域Ｑには、上下方向寸法が大きいロール収納部１６１を配置する。なお、上記電池収納部１６３及び制御基板１７０が配置された第１領域Ｐと、ロール収納部１６１が配置された第２領域Ｑとの境界近傍に、上記メカユニットＭＵが配置されている。
【００３０】
上記のように第２領域Ｑにロール収納部１６１を単独で設けることにより、ロール収納部１６１の上下に制御基板１７０や電池収納部１６３を設ける場合に比べて、筐体１００の上下方向寸法の大型化が抑制される。また、反対側の第１領域Ｐに電池収納部１６３と制御基板１７０とを上下に積層させて配置することにより、それらを水平方向に並べて配置する場合に比べ、筐体１００の水平方向寸法の大型化が抑制される。
【００３１】
＜仕切壁＞
上記のように、第１領域Ｐと第２領域Ｑとの境界近傍に上記メカユニットＭＵが配置されているが、本実施形態の大きな特徴として、図７に示すように、メカユニットＭＵの下部に仕切壁Ｒが設けられている。この仕切壁Ｒの詳細について、図８〜図１０を用いて説明する。
【００３２】
本実施形態では、筐体１００に開閉蓋１０１Ｂを設けている。これにより、前述したように、操作者は、開閉蓋１０１Ｂを開き状態としロール収納部１６１を外部に露出することで、ロール紙Ｓのロール収納部１６１への装着や新しいロール紙Ｓとの交換を容易に行うことができる。その際、開閉蓋１０１Ｂによって筐体１００内部の第２領域Ｑが外部開放可能となることから、第１領域Ｐに配置された制御基板１７０の防水性に配慮する必要がある。
【００３３】
そこで本実施形態では、図８〜図１０に示すように、第１領域Ｐと第２領域Ｑとの境界部に、筐体１００の内部構造を上記第１領域Ｐと上記第２領域Ｑとに仕切るための上記仕切壁Ｒが、アンダーカバー１０２の内底部から立設されている。また、上記仕切壁Ｒの上部を覆うように、メカユニットＭＵが設けられている。これにより、上記のように外部開放可能な第２領域Ｑと制御基板１７０のある第１領域Ｐとの間を、仕切壁Ｒ及びメカユニットＭＵによって密閉することができる。
【００３４】
＜制御基板の突出形状＞
本実施形態においては、制御基板１７０は、図８及び図１０に示すように、メインシャーシ部材１５０の下方へ入り込むように突出した突出基板部１７０ａを備えている。これに対応して、筐体１００内部の第１領域Ｐは、通常の部分である第１ベース領域部Ｐ１と、第１ベース領域部Ｐ１からロール収納部１６１側へ突出した第１突出領域部Ｐ２とを備えており、上記突出基板部１７０ａはこの第１突出領域部Ｐ２に配置される。
【００３５】
このとき、突出基板部１７０ａの上方に、上記排出口１７０が位置している（図１０参照）。排出口１０７は、開閉蓋１０１Ｂの開閉状態に関係なく筐体１００に開口していることから、排出口１０７から侵入しうる飛沫に対する突出基板部１７０ａの防水性に配慮する必要がある。そこで、本実施形態においては、前述したように、突出基板部１７０ａはメインシャーシ部材１５０の下方に入り込むように配置されている。言い換えれば、メインシャーシ部材１５０が突出基板部１７０ａの上方を覆うように配置されている。
【００３６】
一方、筐体１００内部の第２領域Ｑは、上記の第１突出領域部Ｐ２の突出形状と対応するように、当該第１突出領域部Ｐ２の左右方向に隣接する第２突出領域部Ｑ２を備えている。このとき、第２領域Ｑは、第２突出領域部Ｑ２よりもロール収納部１６１側に引っ込んで配置された第２ベース領域部Ｑ１を備えており、この第２ベース領域部Ｑ１が上記第１突出領域部Ｐ２のロール収納部１６１側（言い換えれば後方側）に対向して配置されている。なお、これら左右２つの第２突出領域部Ｑ２には、上記メカユニットＭＵの左右両端部分が挿入配置される。すなわち、左側の第２突出領域部Ｑ２には、メカユニットＭＵの左端部分である、上記モータケーシング２１やギア機構１３２（図４参照）が挿入配置される。一方、右側の第２突出領域部Ｑ２には、メカユニットＭＵの右端部分である、リリース機構（詳細図示は省略）が挿入配置される。
【００３７】
＜仕切壁の具体的構成＞
本実施形態では、仕切壁Ｒは、上述した第１領域Ｐの第１突出領域部Ｐ２と第２領域Ｑの第２突出領域部Ｑ２との境界部に対応して、第１仕切部Ｒ１と、第２仕切部Ｒ２と、第３仕切部Ｒ３と、を備えている。第１仕切部Ｒ１は、第１突出領域部Ｐ２と第２ベース領域部Ｑ１とを仕切るように左右方向に沿って延設され、突出基板部１７０ａの突出端に位置し、メインシャーシ部材１５０の下方に潜り込むように配置される。第２仕切部Ｒ２は、第１仕切部Ｒ１よりも前方側（言い換えれば上記電池側）に位置し、第２突出領域部Ｑ２と第１ベース領域部Ｐ１とを仕切るように左右方向に沿って延設される。第３仕切部Ｒ３は、第１仕切部Ｒ１と第２仕切部Ｒ２とを接続するとともに、第１突出領域部Ｐ２と第２突出領域部Ｑ２とを仕切るように、前後方向に沿って延設される。この結果、上記第１仕切部Ｒ１、第２仕切部Ｒ２、第３仕切部Ｒ３を備えた仕切壁Ｒは、図８（ｂ）及び図９（ｂ）に示すように、平面視において、直角に曲がる略クランク形状となっている。
【００３８】
このとき、メカユニットＭＵのサーマルラインヘッド１１２及びこれに対向配置されるプラテンローラ１１１は、第３仕切部Ｒ３の上方に配置される(図５（ａ）、図５（ｂ)、図７参照）。そして、上記駆動モータは、サーマルラインヘッド１１２やプラテンローラ１１１の左右方向一方側（この例では左側）の端部の下方において、第２領域Ｑの左側の第２突出領域部Ｑ２に配置されている。すなわち、サーマルラインヘッド１１２及びプラテンローラ１１１を仕切壁Ｒの上方に設ける一方で、駆動モータを仕切壁Ｒの上方ではなく、第２仕切部Ｒ２及び第３仕切部Ｒ３の側方にある第２突出領域部Ｑ２に配置している。
【００３９】
以上説明したように、本実施形態のプリンタ１においては、水平方向寸法の大きい制御基板１７０及び電池収納部１６３は第１領域Ｐで上下方向に積層して配置し、上下方向寸法の大きいロール収納部１６１は第２領域Ｑに単独で配置する。これにより、筐体１００の水平方向寸法及び上下方向寸法を必要最小限にとどめ、筐体１００の全体を確実に小型化することができる。
【００４０】
また、本実施形態では特に、外部開放可能な第２領域Ｑと制御基板１７０のある第１領域Ｐとの間を、仕切壁Ｒ及びメカユニットＭＵによって密閉することができる。この結果、制御基板１７０が配置される第１領域Ｐの防水性を向上することができる。
【００４１】
また、本実施形態では特に、第２領域Ｑのうち、後方側に突出した第１領域Ｐの第１突出領域部Ｐ２に対向する部分を、前方側に引っ込んだ第２ベース領域部Ｑ１としている。これにより、第１領域Ｐ及び第２領域Ｑを前後方向に並べて配置したときに必要な、筐体１００の前後方向における寸法を低減することができる。これにより、さらに確実に筐体１００の小型化を図ることができる。
【００４２】
また、本実施形態では特に、サーマルラインヘッド１１２及びプラテンローラ１１１を仕切壁Ｒの上方に設ける一方で、駆動モータを仕切壁Ｒの上方ではなく仕切壁Ｒの側方にある第２突出領域部Ｑ２に配置している。これにより、メカユニットＭＵの設置による筐体１００の上下方向寸法の増大を抑制しつつ、仕切壁Ｒとの協働によって第１領域Ｐと第２領域Ｑとの間の密閉機能を果たすことができる。
【００４３】
また、本実施形態では特に、突出基板部１７０ａがメインシャーシ部材１５０の下方に入り込むように配置されている。これにより、突出基板部１７０ａを、排出口１０７から侵入しうる飛沫から確実に隔離し、防水性を向上することができる。
【００４４】
なお、本発明は、上記実施形態に限られるものではなく、その趣旨及び技術的思想を逸脱しない範囲内で種々の変形が可能である。
【００４５】
また、以上既に述べた以外にも、上記実施形態や各変形例による手法を適宜組み合わせて利用しても良い。
【００４６】
その他、一々例示はしないが、本発明は、その趣旨を逸脱しない範囲内において、種々の変更が加えられて実施されるものである。
【符号の説明】
【００４７】
１                    プリンタ（印刷装置）
１００                筐体
１０１Ｂ              開閉蓋
１０７                排出口
１１１                プラテンローラ（搬送ローラ）
１１２                サーマルラインヘッド（印字ヘッド）
１６１                ロール収納部（媒体収納室）
１７０                制御基板
１７０ａ              突出基板部
ＭＵ                  メカユニット（印刷処理機構）
Ｓ                    ロール紙（被印字媒体）
Ｐ                    第１領域
Ｐ１                  第１ベース領域部
Ｐ２                  第１突出領域部
Ｑ                    第２領域
Ｑ１                  第２ベース領域部
Ｑ２                  第２突出領域部
Ｒ                    仕切壁
Ｒ１                  第１仕切部
Ｒ２                  第２仕切部
Ｒ３                  第３仕切部
【図１】
0005757418.tif 000002
【図２】
0005757418.tif 000003
【図３】
0005757418.tif 000004
【図４】
0005757418.tif 000005
【図５】
0005757418.tif 000006
【図６】
0005757418.tif 000007
【図７】
0005757418.tif 000008
【図８】
0005757418.tif 000009
【図９】
0005757418.tif 000010
【図１０】
0005757418.tif 000011